(57)【要約】【課題】原稿の両面を読み取る画像読取装置において、読取手段の清掃を容易にするとともにジャム等のトラブルに簡単に対応できる画像読取装置を提供する。【解決手段】カバー部１７に第一プラテンローラ２８及びＣＩＳ３１を取り付け、読取本体部１８にスキャナ１９及び第二プラテンローラ３０を取り付けたので、カバー部１７の開閉動作により読取手段とプラテンとの間を同時に離間可能とすることができ、読取手段の清掃やジャムで詰まった原稿の除去を簡単に行うことが可能となった。【選択図】　　　　図２
2004045554.tif 000002
【特許請求の範囲】
【請求項１】
原稿を所定方向に搬送する搬送手段と、前記原稿の搬送路の一方の側に配置されて前記原稿の一方の面を読み取る第一読取手段と、前記原稿の搬送路を介して前記第一読取手段に対向する第一プラテンと、前記原稿の搬送路の他方の側に配置されて前記原稿の他方の面を読み取る第二読取手段と、前記原稿の搬送路を介して前記第二読取手段に対向する第二プラテンとを備え、前記第一読取手段及び前記第一プラテンは離間可能に設けられるとともに前記第二読取手段及び前記第二プラテンも離間可能に設けられていることを特徴とする画像読取装置。
【請求項２】
前記搬送手段を備え前記原稿が載置されるカバー部と該カバー部を開閉可能に支持する本体部とを備え、前記第一読取手段及び前記第二プラテンは、前記本体部に設けられているとともに、前記第一プラテン及び前記第二読取手段は、前記カバー部に設けられていることを特徴とする請求項１記載の画像読取装置。
【請求項３】
前記カバー部の閉鎖状態において、前記第二読取手段の近傍で、かつ、前記カバー部と前記本体部との接触部分に、衝撃吸収部材が設けられていることを特徴とする請求項２記載の画像読取装置。
【請求項４】
前記本体部に設けられた前記第二プラテンは、駆動ローラからなることを特徴とする請求項２又は３記載の画像読取装置。
【発明の詳細な説明】
【０００１】
【発明の属する技術分野】
本発明は、複写機、ファクシミリ装置などの画像形成装置に適用可能な、原稿の両面を読取可能な画像読取装置に関する。
【０００２】
【従来の技術】
従来、自動原稿送り装置（ＡＤＦ）を備えた画像形成装置においては、搬送ベルトにより原稿を搬送してプラテンガラス上に位置決めし、プラテンガラスの下方をスキャナが移動して原稿を読み取るシート固定タイプと、プラテンガラスの下方にスキャナを停止させておき、原稿を一定速度でプラテンガラス上を搬送させながら原稿の読み取りを行うシートスルータイプが知られている。
【０００３】
原稿の両面を読み取る場合、シート固定タイプでは、一旦プラテンガラス上で原稿を停止させることから、両面を読み取るためには原稿を反転した後再度原稿を停止させることが必要であり、読取処理に時間がかかる欠点がある。シートスルータイプでは、例えば、特開平７−１７５２７９号公報には、原稿の表面を読み取って原稿を排出口まで搬送した後原稿の後端から原稿の送給経路に戻して再度原稿を搬送して原稿の裏面を読み取る原稿処理機が記載されている。ただし、この場合、原稿両面の読み取りが完了した後に、そのまま原稿を排出していくと原稿のページ順が揃わなくなるため、もう一度送給経路に原稿を戻してから排出するようにしており、一枚の原稿に３回搬送処理を行う必要がある。
【０００４】
そこで、例えば、特開平１−１９４６５８号公報に記載されているように、読取手段を２つ用いて原稿が搬送される搬送経路の両側にそれぞれ配置して、原稿の表面及び裏面を１回の搬送で読み取ることが行われている。こうすることで、読取手段の数は増加するが、原稿の搬送は１回で済み、読取処理時間も短縮することができる。
【０００５】
【発明が解決しようとする課題】
こうした読取手段を２つ用いた従来の画像読取装置は、読取処理時間の短縮等のメリットはあるものの、原稿の搬送経路中において、読取手段とプラテンとの間の狭い間隔に設定される部分が２箇所に増加したことから、当然原稿搬送時のジャムの発生が増加するとともに、原稿を搬送する際に生じる紙粉等の汚れが２つの読取手段に付着することから、その清掃についても当然頻繁に行う必要が生じてくる。本発明は、従来の画像読取装置が有しているこうした難点を解決した画像読取装置を提供することを目的とするものである。
【０００６】
【課題を解決するための手段】
本発明に係る画像読取装置は、原稿を一方向に搬送する搬送手段と、前記原稿の搬送路の一方の側に配置されて前記原稿の表面を読み取る第一読取手段と、前記原稿の搬送路を介して前記第一読取手段に対向する第一プラテンと、前記原稿の搬送路の他方の側に配置されて前記原稿の裏面を読み取る第二読取手段と、前記原稿の搬送路を介して前記第二読取手段に対向する第二プラテンとを備え、前記第一読取手段及び前記第一プラテンは離間可能に設けられるとともに前記第二読取手段及び前記第二プラテンも離間可能に設けられていることを特徴とする。
【０００７】
さらに、画像読取装置は、前記搬送手段を備え前記原稿が載置されるカバー部と本体部とを備え、前記第一読取手段及び前記第二プラテンは、前記本体部に設けられているとともに、前記第一プラテン及び前記第二読取手段は、前記カバー部に設けられていることを特徴とする。さらに、前記カバー部の閉鎖状態において、前記第二読取手段の近傍で、かつ、前記カバー部と前記本体部との接触部分に、衝撃吸収部材が設けられていることを特徴とする。さらに、前記本体部に設けられた前記第二プラテンは、駆動ローラからなることを特徴とする。
【０００８】
上記のような構成を有することで、第一読取手段及び第一プラテンの間と第二読取手段及び第二プラテンの間が離間可能なため、搬送途中の原稿にジャムが発生したとしても容易に原稿を取り除くことができ、また、読取手段に付着した紙粉等の汚れを簡単に清掃することができるため、常に良好な状態で原稿の両面を読取処理することが可能となる。
【０００９】
特に、２つの読取手段を用いる場合、読取手段の清掃は１つの場合に比較して頻繁に行う必要があるが、本発明の構成を採用することによりその清掃作業が簡単になるとともに短時間で行うことができる。さらに、カバー部に第一プラテン及び第二読取手段を設け、本体部に第一読取手段及び第二プラテンを設けることで、カバー部の開閉動作によって、第一読取手段及び第一プラテンの間と第二読取手段及び第二プラテンの間が同時に離間可能とすることができ、ジャムへの対応や清掃作業等のメンテナンスの操作性が格段に向上する。
【００１０】
また、上記のように、第二読取手段の近傍で、前記カバー部と前記本体部との接触部分に衝撃吸収部材が設けることで、カバー部の閉動作時に本体部との間に生じる衝撃がカバー部に設けた第二読取手段に影響を及ぼすことを防止することができる。また、本体部に設けられた前記第二プラテンを駆動ローラとすることで第二読取手段との間に搬送された原稿をスムーズに搬送することが可能となる。
【００１１】
【発明の実施の形態】
以下、本発明に係る実施形態について詳しく説明する。図１は、本発明に係る画像読取装置を備えた画像形成装置全体の概略を示している。画像形成装置の上部には原稿を搬送して原稿の両面を読み取る原稿読取部１が配置され、その下部に画像を記録する記録部２、画像を記録する用紙を搬送する用紙搬送部３及び給紙部４が配されている。
【００１２】
給紙部４には、給紙カセット５に複数枚の用紙が積載してセットされており、一枚ずつ用紙搬送部３に給紙される。給紙された用紙は用紙搬送部３の搬送ローラ６等により記録部２に搬送されて画像を記録し排出ローラ１５により用紙排出トレイ１６に排出される。図１では、用紙の搬送経路を点線で示している。
【００１３】
記録部２では、用紙搬送部３により搬送された用紙に記録するために、現像器７、帯電器９、感光体ドラム１０、転写ローラ１１、露光ヘッド１２、メモリ除去ブラシ１３及び定着ローラ１４が備えられている。まず、感光体ドラム１０の表面を帯電器９により一様に帯電させ、帯電された感光体ドラム１０に露光ヘッド１２で画像記録信号に応じて露光することで静電潜像を形成する。次に、現像器７内のトナーを現像ローラ８によって感光体ドラム１０に形成された静電潜像に転移させて可視像化し、転写ローラ１１により感光体ドラム１０表面に形成されたトナー像を用紙に転写する。そして、転写されたトナー像は、定着ローラ１４によって加熱・プレスして用紙に定着される。
【００１４】
こうして、感光体への帯電、露光、現像、用紙への転写および定着といった一連のプロセスが行われて、用紙に画像形成がなされる。転写後に感光体ドラム１０の表面に残留したトナーは、メモリ除去ブラシ（ＥＲＳブラシ）１３により付着力が弱められ、感光体ドラム１０の表面上に分散させられる。そして、残留トナーは、現像ローラ８で回収される。
【００１５】
原稿読取部１は、後述する原稿搬送装置及び原稿の裏面を読み取る裏面読取装置を内部に備えたカバー部１７と、スキャナ１９を備えた読取本体部１８からなる。読取本体部１８の上面には、搬送される原稿を読み取る部分にプラテンガラス２０が配置され、原稿や本等を載置して読み取る部分に透明なガラス材からなる載置ベッド２１が配置されている。搬送原稿を読み取る場合にはスキャナ１９をプラテンガラス２０に対向する位置に静止させて読み取り動作を行い、載置ベッド２１に載置された原稿等を読み取る場合にはスキャナ１９を走査して読み取り動作を行うようにする。カバー部１７の載置ベッド２１に対向する面には原稿押え３４が取り付けられており、また、その上部には複数枚の原稿を載置しておく原稿トレイ２２が設けられている。
【００１６】
図２は、原稿読取部１の構成を示した概略図である。点線で示した原稿の搬送経路に沿って、フィードローラ２３、リタードローラ２４及びピックアップローラ２５からなる給紙ローラ群、位置決めローラ２６、第一搬送ローラ２７及び第二搬送ローラ２９からなる読取搬送ローラ群、第一プラテンローラ２８、第二プラテンローラ３０、排出ローラ３２が配設されている。
【００１７】
読取開始時には、原稿トレイ２２に載置された原稿を原稿セットセンサ４０が検知すると、給紙ローラ群のピックアップローラ２５が原稿を押さえ込み、フィードローラ２３及びリタードローラ２４が回転動作して原稿が一枚ずつ搬送路に給紙される。そして、給紙された原稿は搬送路を進み、位置決めセンサ４１が原稿の先端部を検知すると、一旦位置決めローラ２６の電磁クラッチはＯＦＦされ、駆動伝達が停止される。そして、位置決めローラ２６のニップ部に原稿の先端が突き当てられて位置決めされた後電磁クラッチがＯＮされて原稿の搬送が再開される。
【００１８】
その後定速で搬送する第一搬送ローラ２７に搬送されて原稿の先端を第一読取用センサ４２が検知すると、所定のタイミングでスキャナ１９によりまず原稿の表面が読み取られていく。原稿の先端はプラテンガラス２０と第一プラテンローラ２８との間を通り第二搬送ローラ２９に搬送され、第二搬送ローラ２９は第一搬送ローラ２７と同一の速度で原稿を搬送するため、原稿は定速で搬送されながら読み取られていくことになる。
【００１９】
第二搬送ローラ２９によって搬送された原稿の先端を第二読取用センサ４３が検知すると、所定のタイミングでＣＩＳ（Ｃｏｎｔａｃｔ　Ｉｍａｇｅ　Ｓｅｎｓｏｒ）３１が原稿の裏面を読み取り、原稿の先端はそのまま排出ローラ３２に搬送されて、排出ローラ３２から原稿排出トレイ３３へ搬出される。第二プラテンローラ３０は、ＣＩＳ３１に対向して設けられており、ＣＩＳ３１と搬送される原稿との間の間隔が所定の間隔を超えないようにセットされている。
【００２０】
図示されていない制御装置により、フィードローラ２３、位置決めローラ２６ａ、第一搬送ローラ２７ａ、第二搬送ローラ２９ａ及び排出ローラ３２ａが駆動制御され、リタードローラ２４、位置決めローラ２６ｂ、第一搬送ローラ２７ｂ、第二搬送ローラ２９ｂ及び排出ローラ３２ｂが従動ローラとして機能する。第一プラテンローラ２８及び第二プラテンローラ３０は原稿搬送に合せて回動制御してもよく、特に、第二プラテンローラ３０の場合には回動制御することで読取動作をより向上させることができる。
【００２１】
読取本体部１８の上面には、プラテンガラス２０と載置ベッド２１との間にローラ支持部材５０が設けられている。図３に示すように、ローラ支持部材５０は、第二プラテンローラ３０を回動自在に支持するとともに、第二プラテンローラ３０の長手方向に沿ってその両側に延設部５１が設けられている。さらに、原稿搬送方向の上流側から第一ガイド部５２、ローラ溝部５３、第二ガイド部５４及び第三ガイド部５５が順に配設されている。これらは、第二プラテンローラ３０の軸方向とほぼ平行に形成されている。
【００２２】
そして、第二ガイド部５４と第三ガイド部５５との間に第二プラテンローラ３０が配置されている。第一ガイド部５２、第二ガイド部５４及び第三ガイド部５５のガイド面は、それぞれ原稿搬送方向の下流側に向けて上昇する傾斜面となっており、原稿搬送経路に沿って第一ガイド部５２から第三ガイド部５５にいくに従い高くなるように形成されている。
【００２３】
ローラ溝部５３は、カバー部１７と読取本体部１８とが閉鎖状態にあるときに第二搬送ローラ２９を装填する。第二搬送ローラ２９が装填した状態で、第一ガイド部５２は、スキャナ１９及び第一プラテンローラの間を通過した原稿を第二搬送ローラ２９に案内するように作用し、第二ガイド部５４は第二搬送ローラ２９から搬出された原稿をＣＩＳ３１及び第二プラテンローラ３０の間に案内するとともに、第三ガイド部５５はＣＩＳ３１及び第二プラテンローラ３０の間を通過した原稿をカバー部１７の原稿搬送経路に案内するように作用する。
【００２４】
以上のような構成であるから、読取本体部１８にはスキャナ１９及び第二プラテンローラ３０が設けられ、カバー部１７には第一プラテンローラ２８及びＣＩＳ３１が設けられているから、図３に示すように、カバー部１７を開くと、スキャナ１９及び第一プラテンローラ２８は離間した状態に置かれ、ＣＩＳ３１及び第二プラテンローラ３０も同様に離間した状態に置かれることになる。この状態では、ＣＩＳ３１及び第二プラテンローラ３０の用紙との対向表面が露出した状態となり、その表面を簡単に清掃することができるとともに、メンテナンス等の作業も簡単に行うことができる。
【００２５】
同様にスキャナ１９の前面にあるプラテンガラス２０及び第一プラテンローラ２８の互いに対向する面も簡単に清掃することができ、メンテナンス作業も効率よく行える。そして、何らかの原因で原稿が途中で詰まりジャムが生じたとしても、カバー部１７を開けることで、ジャムを起こした原稿を簡単に取り除くことができる。
【００２６】
また、カバー部１７にＣＩＳ３１が取り付けられているので、カバー部１７を閉じるときに読取本体部１８に衝突して生じる衝撃でＣＩＳ３１にトラブルが発生する場合がある。そこで、図３に示すように、衝撃吸収部材６０をローラ支持部材５０の延設部５１に取り付けている。そして、衝撃吸収部材６０に対応して、ＣＩＳ３１の長手方向の両側にも衝撃吸収部材６１を取り付けている。
【００２７】
カバー部１７を閉じるとき、衝撃吸収部材６０及び６１が当接して、ＣＩＳ３１が第二プラテンローラ３０と接触することがないように衝撃吸収部材の厚みを調整しておく。衝撃吸収部材の材質は、スポンジ等の弾力性に富むものであればよく、特に限定されることはない。また、衝撃吸収部材の設置場所は、ＣＩＳ３１の近傍で、カバー部１７及び読取本体部１８が接触する部分であればよく、ＣＩＳ３１への衝撃の影響を防止することができれば、いずれの場所を選択してもよい。そして、衝撃吸収部材をカバー部１７又は読取本体部１８のいずれか一方に設けることも可能で、衝撃の程度に応じて適宜設計すればよい。
【００２８】
以上の実施形態では、カバー部１７に第一プラテンローラ２８及びＣＩＳ３１を取り付けて、読取本体部１８にスキャナ１９及び第二プラテンローラ３０を取り付けたが、読取手段とプラテンを離間した状態にすることが可能であれば、いずれに読取手段及びプラテンを設けても構わない。また、両者を離間させる構成としてカバー部及び本体部を用いているが、それ以外に画像読取装置の内部で離間させる構成をとることも可能である。また、読取手段に対向するプラテンとしてプラテンローラを用いた例で説明したが、プラテンとしては、押圧プレートを用いてもよい。
【００２９】
【発明の効果】
以上に説明したとおり、第一読取手段及び第一プラテンの間と第二読取手段及び第二プラテンの間が離間可能なため、搬送途中の原稿にジャムが発生したとしても容易に原稿を取り除くことができ、また、読取手段に付着した紙粉等の汚れを簡単に清掃することができ、メンテナンス作業も容易に行える。さらに、カバー部に第一プラテン及び第二読取手段を設け、本体部に第一読取手段及び第二プラテンを設けることで、カバー部の開閉動作によって、第一読取手段及び第一プラテンの間と第二読取手段及び第二プラテンの間が同時に離間可能とすることができ、ジャムへの対応や清掃作業等のメンテナンスの操作性が格段に向上する。
【００３０】
また、読取手段の近傍で、前記カバー部と前記本体部との接触部分に衝撃吸収部材が設けることで、カバー部の閉動作時に本体部との間に生じる衝撃がカバー部に設けた読取手段に影響を及ぼすことを防止することができる。また、本体部に設けられた前記第二プラテンを駆動ローラとすることで第二読取手段との間に搬送された原稿をスムーズに搬送することが可能となる。
【図面の簡単な説明】
【図１】本発明に係る実施形態を備えた画像形成装置全体の概略側面図である。
【図２】本発明に係る実施形態の部分概略側面図である。
【図３】本発明に係る実施形態のカバー部を開いたときの斜視図である。
【符号の説明】
１　　原稿読取部
２　　記録部
３　　用紙搬送部
４　　給紙部
５　　給紙カセット部
６　　搬送ローラ
７　　現像器
８　　現像ローラ
９　　帯電器
１０　　感光体ドラム
１１　　転写ローラ
１２　　露光ヘッド
１３　　メモリ除去ブラシ
１４　　定着ローラ
１５　　排出ローラ
１６　　用紙排出トレイ
１７　　カバー部
１８　　読取本体部
１９　　スキャナ
２０　　プラテンガラス
２１　　載置ベッド
２２　　原稿トレイ
２３　　フィードローラ
２４　　リタードローラ
２５　　ピックアップローラ
２６　　位置決めローラ
２７　　第一搬送ローラ
２８　　第一プラテンローラ
２９　　第二搬送ローラ
３０　　第二プラテンローラ
３１　　ＣＩＳ（Ｃｏｎｔａｃｔ　Ｉｍａｇｅ　Ｓｅｎｓｏｒ）
３２　　排出ローラ
３３　　原稿排出トレイ
３４　　原稿押え
４０　　原稿セットセンサ
４１　　位置決めセンサ
４２　　第一読取用センサ
４３　　第二読取用センサ
５０　　ローラ支持部材
５１　　延設部
５２　　第一ガイド部
５３　　ローラ溝部
５４　　第二ガイド部
５５　　第三ガイド部
６０　　衝撃吸収部材
６１　　衝撃吸収部材
【図１】
2004045554.tif 000003
【図２】
2004045554.tif 000004
【図３】
2004045554.tif 000005